(57)【特許請求の範囲】
【請求項１】
演奏曲と次に演奏される予約曲との間に曲間メッセージを出力する機能を備えたカラオケ装置であって、
ログイン利用者管理手段と、曲間メッセージ記憶手段と、曲間メッセージ管理手段と、利用者別視聴管理手段と、曲間メッセージ出力制御手段と、を備え、
前記ログイン利用者管理手段は、現に当該カラオケ装置にログインしている利用者を、利用者ＩＤに基づき特定して管理し、
前記曲間メッセージ記憶手段は、所定の記憶部に、複数の曲間メッセージを記憶させ、
前記曲間メッセージ管理手段は、曲間メッセージ管理リストにて、前記複数の曲間メッセージについて少なくとも出力期間を含む関連情報を、曲間メッセージ毎に管理し、
前記利用者別視聴管理手段は、利用者別視聴管理リストにて、任意の曲間メッセージについて設定された出力期間において、任意の利用者がログインしている際に、当該曲間メッセージが出力されると、当該利用者を当該曲間メッセージの視聴者とみなして管理し、
前記曲間メッセージ出力制御手段は、演奏楽曲数が所定数に達する毎に、前記利用者別視聴管理リストを参照し、前記視聴者とみなされていない未視聴者の割合が所定の基準値以上となっている曲間メッセージを選択的に出力するように制御する、
ことを特徴とする曲間メッセージ出力制御機能を備えたカラオケ装置。
【請求項２】
前記曲間メッセージ管理手段は、前記曲間メッセージ管理リストにて、前記複数の曲間メッセージ毎に、みなし視聴に対応する出力回数情報を管理し、
前記利用者別視聴管理手段は、前記利用者別視聴管理リストにて、任意の曲間メッセージについて設定された出力期間において、任意の利用者がログインしている際に、当該曲間メッセージがみなし視聴に対応する出力回数以上出力されると、当該利用者を当該曲間メッセージの視聴とみなして管理する、
ことを特徴とする請求項１に記載の曲間メッセージ出力制御機能を備えたカラオケ装置。
【請求項３】
前記曲間メッセージ出力制御手段は、演奏楽曲数が所定数に達する毎に、前記利用者別視聴管理リストを参照し、未視聴者の割合が所定の基準値以上であり、かつ当該未視聴者の数が所定の基準値以上である曲間メッセージを選択的に出力するように制御する、
ことを特徴とする請求項１又は２に記載の曲間メッセージ出力制御機能を備えたカラオケ装置。
【発明の詳細な説明】
【技術分野】
【０００１】
本発明は、演奏曲と次に演奏される予約曲との間に曲間メッセージを出力する機能を備えたカラオケ装置に関するものである。
【背景技術】
【０００２】
カラオケ装置では、演奏曲と次に演奏される予約曲との間（いわゆる曲間）に、アーティスト情報、コンサート情報、新譜情報、店舗情報等の曲間メッセージを出力している。このような曲間メッセージは、利用者にとって有用なものではあるが、出力頻度が高すぎると、カラオケ装置を利用して歌唱を行おうとしている利用者を妨害することになる。そこで、従来のカラオケ装置では、演奏予約が途切れた場合や所定演奏数毎に曲間メッセージを出力している。
【０００３】
適切な時期に曲間メッセージを出力する技術として、演奏曲と次の演奏曲との間に一定の周期をおいて定期的に曲間メッセージを出力する技術が開示されている（特許文献１参照）。この特許文献１に記載されている技術は、楽曲の演奏が終了した時点で、設定時間を経過しているか否かを判断し、設定時間が経過している場合に、曲間メッセージを出力するようにしたものである。
【０００４】
【特許文献１】特開平６−１０２８９２号公報
【発明の開示】
【発明が解決しようとする課題】
【０００５】
ところで、従来のカラオケ装置では、演奏楽曲数が所定数に達する毎に、何種類かの曲間メッセージを所定の順序で繰り返して出力するのが一般的である。したがって、カラオケ装置の利用者は、同一のメッセージを何度も見せつけられることになり、利用者にとって有用な情報であるはずの曲間メッセージがかえって煩わしいものとなって、情報の伝達効果を損ねてしまうおそれがあった。
【０００６】
上述したように、従来の技術では、カラオケ装置の利用者に対して出力した曲間メッセージの内容については全く考慮しておらず、所定の周期で曲間メッセージを出力している。このため、利用者にとって有用な曲間メッセージを出力しているにもかかわらず、曲間メッセージが邪魔になり、情報を効率的に伝達できないという問題があった。
【０００７】
本発明は、上述した事情に鑑み提案されたもので、利用者に対して適切な内容の曲間メッセージを出力することにより、利用者にとって有用な曲間メッセージを効率よく伝達することが可能な曲間メッセージ出力制御機能を備えたカラオケ装置を提供することを目的とする。
【課題を解決するための手段】
【０００８】
本発明の曲間メッセージ出力制御機能を備えたカラオケ装置は、上述した目的を達成するため、以下の特徴点を有している。
すなわち、本発明の曲間メッセージ出力制御機能を備えたカラオケ装置は、演奏曲と次に演奏される予約曲との間に曲間メッセージを出力する機能を備えたカラオケ装置であって、ログイン利用者管理手段と、曲間メッセージ記憶手段と、曲間メッセージ管理手段と、利用者別視聴管理手段と、曲間メッセージ出力制御手段と、を備えたことを特徴としている。
【０００９】
ログイン利用者管理手段は、現に当該カラオケ装置にログインしている利用者を、利用者ＩＤに基づき特定して管理するための手段である。曲間メッセージ記憶手段は、所定の記憶部に、複数の曲間メッセージを記憶させるための手段である。曲間メッセージ管理手段は、曲間メッセージ管理リストにて、複数の曲間メッセージについて少なくとも出力期間を含む関連情報を、曲間メッセージ毎に管理するための手段である。利用者別視聴管理手段は、利用者別視聴管理リストにて、任意の曲間メッセージについて設定された出力期間において、任意の利用者がログインしている際に、当該曲間メッセージが出力されると、当該利用者を当該曲間メッセージの視聴者とみなして管理するための手段である。曲間メッセージ出力制御手段は、演奏楽曲数が所定数に達する毎に、利用者別視聴管理リストを参照し、視聴者とみなされていない未視聴者の割合が所定の基準値以上となっている曲間メッセージを選択的に出力するように制御するための手段である。
【００１０】
また、曲間メッセージ管理手段は、上述した機能に加えて、曲間メッセージ管理リストにて、複数の曲間メッセージ毎に、みなし視聴に対応する出力回数情報を管理するための手段として機能させることが可能である。この場合、利用者別視聴管理手段は、上述した機能に加えて、利用者別視聴管理リストにて、任意の曲間メッセージについて設定された出力期間において、任意の利用者がログインしている際に、当該曲間メッセージがみなし視聴に対応する出力回数以上出力されると、当該利用者を当該曲間メッセージの視聴者とみなして管理するための手段として機能させることが可能である。
【００１１】
また、曲間メッセージ出力制御手段は、上述した機能に加えて、演奏楽曲数が所定数に達する毎に、利用者別視聴管理リストを参照し、未視聴者の割合が所定の基準値以上であり、かつ当該未視聴者の数が所定の基準値以上である曲間メッセージを選択的に出力するように制御するための手段として機能させることが可能である。
【００１２】
本発明の曲間メッセージ出力制御機能を備えたカラオケ装置では、曲間メッセージ出力制御手段により、原則として、演奏楽曲数が所定数に達する毎（例えば演奏楽曲数が奇数回数に達した場合）に曲間メッセージを出力する。また、利用者別視聴管理手段により、所定期間（例えば１週間）における各曲間メッセージの視聴及び未視聴を利用者毎に管理する。そして、曲間メッセージの未視聴者（曲間メッセージを視聴していないため、視聴者としてみなされていない利用者）の割合が所定の基準値以上の曲間メッセージを選択して出力する。
【００１３】
また、曲間メッセージ管理手段により、曲間メッセージの出力回数情報を管理し、利用者別視聴管理手段により、曲間メッセージの視聴者とみなされるための曲間メッセージの出力回数（例えば３回）以上、曲間メッセージを視聴した利用者を視聴者とみなす。そして、曲間メッセージの未視聴者の割合が所定の基準値以上の曲間メッセージを選択して出力する。
【００１４】
また、未視聴者の数を判断基準に加えた場合には、未視聴者の割合が所定の基準値以上であり、かつ当該未視聴者の数が所定の基準値以上である曲間メッセージを選択して出力する。
【００１５】
なお、曲間メッセージとは、アーティスト情報、コンサート情報、新譜情報、店舗情報、キャンペーン情報、サービス情報等のように、カラオケ装置の利用者にとって有用な情報のことである。また、曲間メッセージを出力するとは、カラオケ装置を構成する表示装置の表示画面に曲間メッセージを表示したり、スピーカから音声情報を発生したりすることをいう。
【発明の効果】
【００１６】
本発明の曲間メッセージ出力制御機能を備えたカラオケ装置は、所定期間において曲間メッセージの視聴及び未視聴を管理し、曲間メッセージを出力する際に、未視聴者の割合が所定値以上の曲間メッセージを選択的に出力することにより、カラオケ装置を利用している視聴者の多くが既に視聴している曲間メッセージは出力されず、視聴者の多くが未視聴の曲間メッセージが出力されることになり、利用者にとって有用な情報である曲間メッセージの伝達効率を向上させることができる。
【００１７】
また、予め設定した出力回数以上、曲間メッセージを視聴した利用者を視聴者とみなすことにより、複数回の出力回数が設定された曲間メッセージについては、利用者に対して複数回出力されるので、利用者にとって重要であろうと思われる曲間メッセージを確実に視聴させることができる。
【００１８】
また、未視聴者の数を判断基準に加えた場合には、さらに一層、曲間メッセージの伝達効率を向上させることができる。
【発明を実施するための最良の形態】
【００１９】
以下、図面を参照して本発明の曲間メッセージ出力制御機能を備えたカラオケ装置の実施形態を説明する。図１は、本発明の実施形態に係る曲間メッセージ出力制御機能を備えたカラオケ装置の構成を示すブロック図である。本発明の実施形態に係る曲間メッセージ出力制御機能を備えたカラオケ装置は、演奏曲と次に演奏される予約曲との間に曲間メッセージを出力する機能を備えている。
【００２０】
＜カラオケ装置＞
図１に示すように、本発明の実施形態に係る曲間メッセージ出力制御機能を備えたカラオケ装置１０は、カラオケ本体２０、遠隔入出力端末４１、利用者ＩＤ取得手段４２、ミキシングアンプ４４、スピーカ４５、マイクロホン４６、表示手段４７を備えている。カラオケ本体２０と表示手段４７とは、有線方式又は無線方式により接続されている。
【００２１】
＜遠隔入出力端末＞
遠隔入出力端末４１は、ユーザインタフェース機能を備えており、カラオケ本体２０のローカル送受信手段２６に対して有線方式又は無線方式によりデータの送受信を行うようになっており、データの送受信を行うための回路基板及びプログラムと、楽曲検索手段４１ａとして機能させるためのプログラムと、楽曲索引データベース４１ｂと、一時記憶領域であるフラッシュメモリ（図示せず）とを備えている。ここで利用される無線方式としては、例えば近接無線通信技術であるｉｒＤＡやbluetooth（登録商標）等を挙げることができる。また、ユーザインタフェース機能として、例えば液晶ディスプレイとタッチセンサとを積層した入出力用表示部（図示せず）を備えており、入出力用表示部に表示されるアイコンや文字列にタッチすることにより、楽曲の選択やデータの入力を行うようになっている。
【００２２】
＜楽曲索引データベース＞
楽曲検索手段４１ａが参照する楽曲索引データベース４１ｂは、カラオケ装置１０で演奏に供される楽曲についての属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。なお、ネットワークカラオケシステムの場合には、カラオケ装置１０がホスト装置と通信を行う際に、適宜なタイミングで楽曲索引データベース４１ｂの内容が最新のものに更新される。
【００２３】
＜カラオケ本体＞
カラオケ本体２０は、バス２１、中央制御手段２２、ＲＯＭ２３、ＲＡＭ２４、ＨＤＤ２５、ローカル送受信手段２６、ログイン利用者管理手段２７、利用者別視聴管理手段２８、曲間メッセージ出力制御手段２９、選曲管理手段３０、音楽曲出力手段３１、再生制御手段３２、曲間メッセージ記憶手段３３、曲間メッセージ管理手段３４を備えている。なお、ＨＤＤ２５には、楽曲データベース２５ａ、映像データベース２５ｂ、曲間メッセージ２５ｃ、曲間メッセージ管理リスト２５ｄ、利用者別視聴管理リスト２５ｅが格納されている。
【００２４】
＜中央制御手段＞
中央制御手段２２は、カラオケ装置１０を総合的に制御するための手段であり、例えばＣＰＵ及びその周辺機器により構成されており、ＣＰＵ等がＲＯＭ２３等に記憶されたアプリケーションプログラムに従って動作することにより、制御機能を発揮することができるようになっている。
【００２５】
＜ＲＯＭ／ＲＡＭ＞
ＲＯＭ２３は、カラオケ装置１０を構成する各機器を制御するためのアプリケーションプログラムデータや数値データを記憶するための機器で、例えば半導体メモリ等で構成される。また、ＲＡＭ２４は、アプリケーションプログラムや種々のデータを一時的に読み込む一時記憶領域として機能する機器で、例えば半導体メモリ等で構成される。なお、物理的な半導体メモリによりＲＡＭ２４を構成するのではなく、ハードディスク記憶装置等を用いて仮想的なＲＡＭ２４を構成してもよい。
【００２６】
＜ＨＤＤ＞
大容量記憶装置であるＨＤＤ２５は、楽曲データベース２５ａ、映像データベース２５ｂ、曲間メッセージ２５ｃ、曲間メッセージ管理リスト２５ｄ、利用者別視聴管理リスト２５ｅを格納するための手段である。なお、大容量記憶装置としては、ＨＤＤ２５の他に、データを書き替え可能なＤＶＤ等を用いることができる。
【００２７】
楽曲データベース２５ａは、演奏データ（ＭＩＤＩ（登録商標）データ）及び歌詞テロップデータが同期されて構成される楽曲データについて、楽曲ＩＤと対応付けてそれぞれ格納したデータベースである。演奏データは各楽曲の演奏データをデジタル化したものであり、歌詞テロップデータは演奏データに同期された楽曲の歌詞文字データである。
映像データベース２５ｂは、演奏される楽曲に対応した背景映像を、当該楽曲の楽曲ＩＤに対応させた映像ファイルとして所定数格納したデータベースである。
【００２８】
曲間メッセージ２５ｃは、アーティスト情報、コンサート情報、新譜情報、店舗情報、キャンペーン情報、サービス情報等のように、カラオケ装置１０の利用者にとって有用な情報からなり、必要に応じて更新される。曲間メッセージ管理リスト２５ｄ及び利用者別視聴管理リスト２５ｅについては、後に詳述する。
【００２９】
＜送受信手段＞
ローカル送受信手段２６は、遠隔入出力端末４１との間でデータの送受信を行うための電子回路及びプログラムからなる。なお、カラオケ装置１０をスタンドアロンで使用するのではなく、ネットワークを介して複数のカラオケ装置１０（カラオケ演奏端末）とホスト装置とを接続して、ネットワークカラオケシステムを構築する場合には、ローカル送受信手段２６の他に、通信ネットワークにおける通信方式の整合性を保つための電子回路及びプログラムからなるネットワーク送受信手段を備える。
【００３０】
＜利用者ＩＤ取得手段＞
利用者ＩＤ取得手段４２は、利用者がカラオケ装置１０を利用する際に、利用者が所持するＩＤ媒体４３から利用者ＩＤを取得するための電子回路及びプログラムからなる。利用者ＩＤ取得手段４２で取得した利用者ＩＤは、ＲＡＭ２４に一時的に記憶され、ログイン利用者管理手段２７で管理される。ＩＤ媒体４３は、例えば、非接触型のＩＣカード、携帯電話、携帯情報端末等からなり、利用者ＩＤを記憶して、利用者ＩＤ取得手段４２との間でデータの送受信を行うことができるようになっている。
【００３１】
＜ログイン利用者管理手段＞
ログイン利用者管理手段２７は、現に当該カラオケ装置１０にログインしている利用者を、利用者ＩＤに基づき特定して管理するためのプログラムからなる。
【００３２】
＜曲間メッセージ記憶手段＞
曲間メッセージ記憶手段３３は、記憶部であるＨＤＤ２５に、複数の曲間メッセージ２５ｃを記憶させるためのプログラムからなる。曲間メッセージ２５ｃは、適宜なタイミングでカラオケ装置１０に入力される。入力元となる曲間メッセージ２５ｃのデータは、ＤＶＤやＣＤ−ＲＯＭ等の記憶媒体に記憶されたものであってもよいし、通信手段を介して接続されたホスト装置に記憶されたものであってもよい。なお、本実施形態では、ＨＤＤ２５に曲間メッセージ２５ｃを記憶させているが、ＤＶＤやＣＤ−ＲＯＭ等の記憶媒体に曲間メッセージ２５ｃが記憶されている場合には、当該ＤＶＤやＣＤ−ＲＯＭ等をそのまま記憶部として利用することができる。
【００３３】
＜曲間メッセージ管理手段＞
曲間メッセージ管理手段３４は、曲間メッセージ管理リスト２５ｄにて、複数の曲間メッセージについて少なくとも出力期間を含む関連情報を、曲間メッセージ毎に管理するためのプログラムからなる。図２を参照して、曲間メッセージ管理リスト２５ｄについて説明する。図２は、曲間メッセージ管理リスト２５ｄ及び利用者別視聴管理リスト２５ｅの構成を示す説明図である。
【００３４】
曲間メッセージ管理リスト２５ｄは、図２に示すように、各曲間メッセージについて、曲間メッセージを識別するための曲間メッセージＩＤと、出力期間の開始日及び終了日と、視聴者とみなすためのみなし視聴回数と、曲間メッセージを特定するための曲間メッセージデータとを関連付けて構成したリストである。
なお、みなし視聴回数についてはどのような値であってもよいが、例えば、１回、２回、３回、あるいはそれ以上の回数とする。また、みなし視聴回数は、すべての曲間メッセージに共通に設定してもよいし、曲間メッセージ毎に個別に設定してもよい。具体的には、特に視聴者にとって重要であると思われる曲間メッセージは、それ以外の曲間メッセージと比較して、みなし視聴回数を多く設定することが好ましい。これにより、利用者にとって重要であろうと思われる曲間メッセージを確実に視聴させることができる。さらに、みなし視聴回数を設定しなくてもよい。
【００３５】
＜利用者別視聴管理手段＞
利用者別視聴管理手段２８は、利用者別視聴管理リスト２５ｅにて、複数の曲間メッセージについて、少なくとも出力期間を含む関連情報を、曲間メッセージ毎に管理するためのプログラムからなる。具体的には、曲間メッセージに設定された出力期間が開始すると、曲間メッセージ管理手段３４の機能により、利用者別視聴管理リスト２５ｅにおいて、当該曲間メッセージについて、各利用者を未視聴者として管理する。そして、曲間メッセージの出力期間が終了するまでの間、利用者がログイン中に曲間メッセージが出力されると、当該曲間メッセージについて利用者毎に視聴者として管理する。そして、当該曲間メッセージに設定された出力期間が経過すると、当該曲間メッセージに関する情報を利用者別視聴管理リスト２５ｅから削除する。
【００３６】
また、利用者別視聴管理手段２８は、利用者別視聴管理リスト２５ｅにて、任意の曲間メッセージについて設定された所定の出力期間において、任意の利用者がログインしている際に、当該曲間メッセージが所定回数以上出力された場合に、当該利用者を当該曲間メッセージの視聴者とみなして管理するように機能させてもよい。この場合、みなし視聴回数を「１」に設定すると、みなし視聴回数を設定しない場合と同様に、利用者がログイン中に曲間メッセージが出力されると、当該曲間メッセージについて当該利用者を視聴者とみなす。
【００３７】
利用者別視聴管理リスト２５ｅは、図２に示すように、曲間メッセージについて設定された出力期間において、利用者毎に各曲間メッセージの視聴回数と、みなし視聴者となった旨を表す視聴フラグとを管理するためのリストである。なお、曲間メッセージ管理リスト２５ｄにおいて、みなし視聴回数を設定しない場合には、利用者別視聴管理リスト２５ｅにおいて、視聴回数の管理は行われず、視聴の有無を表す視聴フラグのみが管理される。
【００３８】
例えば、図２に示す例では、曲間メッセージ（１）及び曲間メッセージ（２）については、みなし視聴回数が「３」に設定され、曲間メッセージ（３）については、みなし視聴回数が「２」に設定されている。したがって、曲間メッセージ（１）については、利用者Ａ、利用者Ｄ、利用者Ｆ、利用者Ｇが視聴者とみなされ、曲間メッセージ（２）については、利用者Ｂ、利用者Ｄ、利用者Ｊが視聴者とみなされ、曲間メッセージ（３）については、利用者Ａ、利用者Ｂが視聴者とみなされ、それぞれ視聴フラグがセットされている。
【００３９】
また、本実施形態において、曲間メッセージ管理リスト２５ｄ及び利用者別視聴管理リスト２５ｅをＨＤＤ２５に格納しているが、曲間メッセージ管理リスト２５ｄ及び利用者別視聴管理リスト２５ｅをＲＡＭ２４等の他の記憶手段に格納してもよい。また、ネットワークカラオケシステムの場合には、ホスト装置において曲間メッセージ管理リスト２５ｄ及び利用者別視聴管理リスト２５ｅを管理しもよい。この場合には、ネットワークを構築する他のカラオケ装置においても、曲間メッセージの提供について同様のサービスを受けることができる。
【００４０】
また、曲間メッセージの出力期間はどのような値であってもよいが、例えば、１週間、１０日間、１ヶ月とする。なお、曲間メッセージの出力期間は、すべての曲間メッセージに共通に設定してもよいし、曲間メッセージ毎に個別に設定してもよい。具体的には、各曲間メッセージについて有効期間を設定し、この有効期間内において曲間メッセージの視聴を利用者別に管理することができる。
【００４１】
＜曲間メッセージ出力制御手段＞
曲間メッセージ出力制御手段２９は、演奏楽曲数が所定数に達する毎に、利用者別視聴管理リスト２５ｅを参照し、未視聴者の割合が所定の基準値以上となっている曲間メッセージを選択的に出力するように制御するためのプログラムからなる。また、上記基準に加えて、未視聴者の数が所定の基準値以上である曲間メッセージを選択的に出力するように制御してもよい。
【００４２】
なお、曲間メッセージの選択タイミングである演奏楽曲数の基準値は、どのような値であってもよく、例えば演奏楽曲数が奇数回数に達した場合とすることができる。また、曲間メッセージを選択する基準値は、どのような値であってもよく、例えば、存在率の基準値を「４０％以上」、存在数の基準値を「３以上」に設定することができる。さらに、曲間メッセージ毎に異なる基準値を設定してもよい。例えば、曲間メッセージ（１）については、存在率の基準値を「４０％以上」、存在数の基準値を「３以上」に設定し、曲間メッセージ（２）については、存在率の基準値を「５０％以上」、存在数の基準値を「４以上」に設定し、曲間メッセージ（３）については、存在率の基準値を「３０％以上」、存在数の基準値を「２以上」に設定する等である。
【００４３】
＜選曲管理手段＞
選曲管理手段３０は、利用者により遠隔入出力端末４１における楽曲検索手段４１ａの機能を用いて選曲され、ローカル送受信手段２６を介して送信された当該選曲者の利用者ＩＤ、及び選曲された楽曲ＩＤを対応付けて予約待ち行列２４ａとしてＲＡＭ２４に格納し、管理するためのプログラムである。なお、楽曲選択の表示や予約待ち行列２４ａの表示は、遠隔入出力端末４１の入出力用表示部及び表示手段４７のいずれか一方、あるいは双方で行うことができる。
予約待ち行列は、例えば、楽曲が予約された順番に、楽曲ＩＤ、利用者ＩＤ等を関連付けて記憶したもので、予約待ち行列に記憶された順番で楽曲が演奏される。
【００４４】
＜音楽曲出力手段＞
音楽曲出力手段３１は、楽曲ＩＤに基づいて楽曲データベース２５ａから抽出された演奏データをデジタル再生すると共にアナログ変換してミキシングアンプ４４に出力するための電子回路である。ミキシングアンプ４４は、マイクロホン４６から入力された歌唱者の歌唱音声と、音楽曲出力手段３１から送出される演奏データとをミキシングすると共に、アンプ機能により増幅してスピーカ４５より出力させるための装置である。なお、マイクロホン４６の数は１本に限られず、２本以上であってもよい。
【００４５】
＜再生制御手段＞
再生制御手段３２は、カラオケ演奏中に、楽曲データベース２５ａから抽出された楽曲データのうちの歌詞テロップデータ（歌詞文字データ）を当該楽曲の演奏データに同期させて表示手段４７に出力するための電子回路である。さらに、再生制御手段３２は、遠隔入出力端末４１を介した利用者からの操作指示による予約楽曲リストの表示等を表示手段４７に表示させる機能も有している。
【００４６】
＜表示手段＞
表示手段４７は、カラオケ演奏時の映像、歌詞テロップ等を表示するための装置で、例えば、ＣＲＴディスプレイ、液晶ディスプレイ、プラズマディスプレイ等により構成される。
【００４７】
図３を参照して、曲間メッセージの視聴管理処理について説明する。図３は、曲間メッセージ別視聴管理処理を示すフローチャートである。
曲間メッセージ別視聴管理処理は、曲間メッセージ別及び利用者別に行われる処理であって、図３に示すように、まず、任意の曲間メッセージの出力期間が開始すると（Ｓ１）、利用者別視聴管理リスト２５ｅの当該曲間メッセージに関する利用者別視聴管理データを作成する（Ｓ２）。続いて、曲間メッセージに設定された出力期間が終了したか否かを判断する（Ｓ３）。ここで、出力期間が終了した場合には、処理を終了する。
【００４８】
一方、出力期間が終了していない場合には、利用者がログインして利用者ＩＤを取得したか否かを判断する（Ｓ４）。ここで、利用者がログインしない場合には、出力期間の終了判断処理（Ｓ３）に戻る。一方、利用者がログインした場合には、曲間メッセージが出力されたか否かを判断する（Ｓ５）。ここで、曲間メッセージが出力されると、利用者別視聴管理手段２８の機能により、利用者別視聴管理リスト２５ｅの当該曲間メッセージに関する利用者別視聴管理データにおいて、当該利用者を視聴者として管理する（Ｓ６）。
【００４９】
この際、各曲間メッセージについて、視聴又は未視聴の区別のみを管理してもよいし、視聴回数を含めて管理してもよい。各曲間メッセージについて、視聴又は未視聴の区別のみを管理する場合には、曲間メッセージが出力された際にログインしている利用者が、当該曲間メッセージの視聴者とみなされる。また、視聴回数を含めて管理する場合には、利用者がログイン中に、曲間メッセージが所定回数以上出力されると、当該曲間メッセージについて当該利用者を視聴者とみなす。なお、みなし視聴回数を「１」に設定すると、みなし視聴回数を設定しない場合と同様に、利用者がログイン中に曲間メッセージが出力されると、当該曲間メッセージについて当該利用者を視聴者とみなす。
【００５０】
曲間メッセージの出力判断処理（Ｓ５）及び視聴者管理処理（Ｓ６）は、利用者がログアウトするまでの間、繰り返して実行される（Ｓ５〜Ｓ８）。そして、利用者がログアウトすると（Ｓ７又はＳ８）、出力期間の終了判断処理（Ｓ３）に戻る。
【００５１】
＜曲間メッセージの出力制御処理（第１の実施形態）＞
図４及び図５を参照して、第１の実施形態に係る曲間メッセージの出力制御処理を説明する。図４は、第１の実施形態に係る曲間メッセージの出力制御処理を示すフローチャート、図５は、第１の実施形態に係る曲間メッセージの出力判断を説明する説明図である。
【００５２】
第１の実施形態は、曲間メッセージ出力の判断タイミングを予め定めておき、当該判断タイミングが到来すると、未視聴者の存在率に基づいて、曲間メッセージの出力判断を行うようにしたものである。第１の実施形態に係る曲間メッセージの出力制御処理では、図４に示すように、予約待ち行列に従い楽曲を演奏し（Ｓ１１）、演奏楽曲数を積算し（Ｓ１２）、演奏楽曲の積算値が所定値であるか否かを判断する（Ｓ１３）。なお、曲間メッセージ出力の判断タイミングは、例えば、１曲目の演奏終了時、３曲目の演奏終了時、５曲目の演奏終了時、７曲目の演奏終了時、９曲目の演奏終了時のように、演奏楽曲数が奇数回数に達した場合とすることができる。
【００５３】
ここで、演奏楽曲数の積算値が所定値でない場合には、予約待ち行列に従い次の楽曲を演奏する（Ｓ１１）。一方、演奏楽曲の積算値が所定値である場合には、利用者別視聴管理リスト２５ｅを参照し、未視聴者の存在率が所定の基準値以上の曲間メッセージが存在するか否かを判断する（Ｓ１４）、ここで、未視聴者の存在率が所定の基準値以上の曲間メッセージが存在する場合には、次の予約曲が演奏される前に、基準を満たす曲間メッセージを出力する（Ｓ１５）。一方、未視聴者の存在率が所定の基準値以上の曲間メッセージが存在しない場合には、曲間メッセージを出力しない。
【００５４】
なお、基準を満たす曲間メッセージが複数存在する場合には、所定の基準を用いて曲間メッセージを選択的に出力する。この場合の基準は、例えば、未視聴者の存在率が同率の場合には、曲間メッセージに付されたＩＤ順に曲間メッセージを選択する。また、未視聴者の存在率が異なる場合には、存在率が高い曲間メッセージを優先して選択する。さらに、基準を満たす曲間メッセージが複数存在する場合は、基準を満たすすべての曲間メッセージを出力してもよい。
【００５５】
具体的には、図５に示すように、演奏楽曲数が奇数回数に達する毎に未視聴者の存在率を判断し、未視聴者の存在率が所定の基準値以上の曲間メッセージを選択して出力する。ここで、判断基準として、未視聴者の存在率が４０％以上の場合に曲間メッセージを出力するものとする。なお、存在率は小数点第１位以下で四捨五入した整数とする。
【００５６】
図５に示す例では、第１曲目が演奏された際のログイン利用者はＡ、Ｂ、Ｃの３人であり、各利用者は、曲間メッセージ（１）、曲間メッセージ（２）、曲間メッセージ（３）のすべてを視聴していない。すなわち、曲間メッセージ（１）、曲間メッセージ（２）、曲間メッセージ（３）の未視聴者の存在率はそれぞれ１００％である。したがって、曲間メッセージの順番（例えばＩＤ順）に従って、第１曲目と第２曲目との間に、曲間メッセージ（１）を出力する。
【００５７】
第３曲目が演奏された際のログイン利用者はＡ、Ｂ、Ｃ、Ｄの４人である。そして、曲間メッセージ（１）については、Ａ、Ｂ、Ｃが既に視聴しており、Ｄのみが未視聴であるため、未視聴者の存在率は２５％である。また、曲間メッセージ（２）、曲間メッセージ（３）については、各利用者のすべてが未視聴であるため、未視聴者の存在率は１００％である。したがって、曲間メッセージ（２）及び曲間メッセージ（３）が基準を満たすが、未視聴者の存在率が同率であるため、曲間メッセージの順番（例えばＩＤ順）に従って、第３曲目と第４曲目との間に、曲間メッセージ（２）を出力する。
【００５８】
第５曲目が演奏された際のログイン利用者はＢ、Ｃ、Ｄ、Ｅの４人である。そして、曲間メッセージ（１）については、Ｂ、Ｃが既に視聴しており、Ｄ、Ｅが未視聴であるため、未視聴者の存在率は５０％である。また、曲間メッセージ（２）については、Ｂ、Ｃ、Ｄが既に視聴しており、Ｅのみが未視聴であるため、未視聴者の存在率は２５％である。また、曲間メッセージ（３）については、各利用者のすべてが未視聴であるため、未視聴者の存在率は１００％である。したがって、曲間メッセージ（１）及び曲間メッセージ（３）が基準を満たすが、未視聴者の存在率が同率であるため、未視聴者の存在率が高い曲間メッセージを優先して、第５曲目と第６曲目との間に、曲間メッセージ（３）を出力する。
【００５９】
第７曲目が演奏された際のログイン利用者はＢ、Ｃ、Ｄ、Ｅ、Ｆの５人である。そして、曲間メッセージ（１）については、Ｂ、Ｃが既に視聴しており、Ｄ、Ｅ、Ｆが未視聴であるため、未視聴者の存在率は６０％である。また、曲間メッセージ（２）については、Ｂ、Ｃ、Ｄが既に視聴しており、Ｅ、Ｆが未視聴であるため、未視聴者の存在率は４０％である。また、曲間メッセージ（３）については、Ｂ、Ｃ、Ｄ、Ｅが既に視聴しており、Ｆのみが未視聴であるため、未視聴者の存在率は２０％である。したがって、曲間メッセージ（１）及び曲間メッセージ（２）が基準を満たすが、未視聴者の存在率が高い曲間メッセージを優先して、第７曲目と第８曲目との間に、曲間メッセージ（１）を出力する。
【００６０】
第９曲目が演奏された際のログイン利用者はＤ、Ｅ、Ｆ、Ｇ、Ｈ、Ｉ、Ｊの７人である。そして、曲間メッセージ（１）については、Ｄ、Ｅ、Ｆ、Ｇが既に視聴しており、Ｈ、Ｉ、Ｊが未視聴であるため、未視聴者の存在率は４３％である。また、曲間メッセージ（２）については、Ｄのみが既に視聴しており、Ｅ、Ｆ、Ｇ、Ｈ、Ｉ、Ｊが未視聴であるため、未視聴者の存在率は８６％である。また、曲間メッセージ（３）については、Ｄ、Ｅが既に視聴しており、Ｆ、Ｇ、Ｈ、Ｉ、Ｊが未視聴であるため、未視聴者の存在率は７１％である。したがって、曲間メッセージ（１）、曲間メッセージ（２）、曲間メッセージ（３）のすべてが基準を満たすが、未視聴者の存在率が高い曲間メッセージを優先して、第９曲目と第１０曲目との間に、曲間メッセージ（２）を出力する。
【００６１】
なお、上述した例は、第１曲目が演奏された時点において、すべての利用者がすべての曲間メッセージを未視聴であるとしているが、利用者別視聴管理手段２８では、所定期間において曲間メッセージの視聴及び未視聴を管理している。したがって、第１曲目が演奏された時点において、いずれかの曲間メッセージについて既に視聴している利用者が存在する場合もある（第２の実施形態においても同様）。
【００６２】
＜曲間メッセージの出力制御処理（第２の実施形態）＞
図６及び図７を参照して、第２の実施形態に係る曲間メッセージの出力制御処理を説明する。図６は、第２の実施形態に係る曲間メッセージの出力制御処理を示すフローチャート、図７は、第２の実施形態に係る曲間メッセージの出力判断を説明する説明図である。
【００６３】
第２の実施形態は、曲間メッセージ出力の判断タイミングを予め定めておき、当該判断タイミングが到来すると、未視聴者の存在率及び未視聴者の存在数に基づいて、曲間メッセージの出力判断を行うようにしたものである。第２の実施形態に係る曲間メッセージの出力制御処理では、図６に示すように、予約待ち行列に従い楽曲を演奏し（Ｓ２１）、演奏楽曲数を積算し（Ｓ２２）、演奏楽曲の積算値が所定値であるか否かを判断する（Ｓ２３）。なお、曲間メッセージ出力の判断タイミングは、例えば、１曲目の演奏終了時、３曲目の演奏終了時、５曲目の演奏終了時、７曲目の演奏終了時、９曲目の演奏終了時のように、演奏楽曲数が奇数回数に達した場合である。
【００６４】
ここで、演奏楽曲数の積算値が所定値でない場合には、予約待ち行列に従い次の楽曲を演奏する（Ｓ２１）。一方、演奏楽曲の積算値が所定値である場合には、利用者別視聴管理リスト２５ｅを参照し、未視聴者の存在率が所定の基準値以上の曲間メッセージが存在するか否かを判断する（Ｓ２４）。ここで、未視聴者の存在率が所定の基準値以上の曲間メッセージが存在する場合には、さらに、未視聴者の存在率が所定の基準値以上であって、かつ未視聴者の存在数が所定の基準値以上の曲間メッセージが存在するか否かを判断する（Ｓ２５）。
【００６５】
ここで、未視聴者の存在率が所定の基準値以上であって、かつ未視聴者の存在数が所定の基準値以上の曲間メッセージが存在する場合には、次の予約曲が演奏される前に、基準を満たす曲間メッセージを出力する（Ｓ２６）。一方、未視聴者の存在率が所定の基準値以上の曲間メッセージが存在しない場合、及び未視聴者の存在率が所定の基準値以上の曲間メッセージが存在するが、当該曲間メッセージの中に未視聴者の存在数が所定の基準値以上の曲間メッセージが存在しない場合には、曲間メッセージを出力しない。
【００６６】
なお、基準を満たす曲間メッセージが複数存在する場合には、所定の基準を用いて曲間メッセージを選択的に出力する。この場合の基準は、例えば、未視聴者の存在率及び存在数が同率の場合には、曲間メッセージに付されたＩＤ順に曲間メッセージを優先して選択する。また、未視聴者の存在率及び存在数が異なる場合には、存在率が高い曲間メッセージを優先して選択する。さらに、基準を満たす曲間メッセージが複数存在する場合は、基準を満たすすべての曲間メッセージを出力してもよい。
【００６７】
具体的には、図７に示すように、演奏楽曲数が奇数回数に達する毎に未視聴者の存在率を判断し、未視聴者の存在率及び存在数が所定の基準値以上の曲間メッセージを選択して出力する。ここで、判断基準として、未視聴者の存在率が４０％以上であって、かつ未視聴者の存在数が「３」以上の曲間メッセージが存在する場合に当該基準を満たす曲間メッセージを出力するものとする。なお、存在率は小数点第１位以下で四捨五入した整数とする。
【００６８】
図７に示す例では、第１曲目が演奏された際のログイン利用者はＡ、Ｂ、Ｃの３人であり、各利用者は、曲間メッセージ（１）、曲間メッセージ（２）、曲間メッセージ（３）のすべてを視聴していない。すなわち、曲間メッセージ（１）、曲間メッセージ（２）、曲間メッセージ（３）の未視聴者の存在率はそれぞれ１００％であり、未視聴者の存在数はそれぞれ「３」である。したがって、未視聴者の存在率及び存在数が同率であるため、曲間メッセージの順番（例えばＩＤ順）に従って、第１曲目と第２曲目との間に、曲間メッセージ（１）を出力する。
【００６９】
第３曲目が演奏された際のログイン利用者はＡ、Ｂ、Ｃ、Ｄの４人である。そして、曲間メッセージ（１）については、Ａ、Ｂ、Ｃが既に視聴しており、Ｄのみが未視聴であるため、未視聴者の存在率は２５％であり、未視聴者の存在数は「１」である。また、曲間メッセージ（２）、曲間メッセージ（３）については、各利用者のすべてが未視聴であるため、未視聴者の存在率は１００％であり、未視聴者の存在数は「４」である。したがって、曲間メッセージ（２）及び曲間メッセージ（３）が基準を満たすが、未視聴者の存在率及び存在数が同率であるため、曲間メッセージの順番（例えばＩＤ順）に従って、第３曲目と第４曲目との間に、曲間メッセージ（２）を出力する。
【００７０】
第５曲目が演奏された際のログイン利用者はＢ、Ｃ、Ｄ、Ｅの４人である。そして、曲間メッセージ（１）については、Ｂ、Ｃが既に視聴しており、Ｄ、Ｅが未視聴であるため、未視聴者の存在率は５０％であり、未視聴者の存在数は「２」である。また、曲間メッセージ（２）については、Ｂ、Ｃ、Ｄが既に視聴しており、Ｅのみが未視聴であるため、未視聴者の存在率は２５％であり、未視聴者の存在数は「１」である。また、曲間メッセージ（３）については、各利用者のすべてが未視聴であるため、未視聴者の存在率は１００％であり、未視聴者の存在数は「４」である。したがって、曲間メッセージ（３）のみが基準を満たすので、第５曲目と第６曲目との間に、曲間メッセージ（３）を出力する。
【００７１】
第７曲目が演奏された際のログイン利用者はＢ、Ｃ、Ｄ、Ｅ、Ｆの５人である。そして、曲間メッセージ（１）については、Ｂ、Ｃが既に視聴しており、Ｄ、Ｅ、Ｆが未視聴であるため、未視聴者の存在率は６０％であり、未視聴者の存在数は「３」である。また、曲間メッセージ（２）については、Ｂ、Ｃ、Ｄが既に視聴しており、Ｅ、Ｆが未視聴であるため、未視聴者の存在率は４０％であり、未視聴者の存在数は「２」である。また、曲間メッセージ（３）については、Ｂ、Ｃ、Ｄ、Ｅが既に視聴しており、Ｆのみが未視聴であるため、未視聴者の存在率は２０％であり、未視聴者の存在数は「１」である。したがって、曲間メッセージ（１）のみが基準を満たすので、第７曲目と第８曲目との間に、曲間メッセージ（１）を出力する。
【００７２】
第９曲目が演奏された際のログイン利用者はＤ、Ｅ、Ｆ、Ｇ、Ｈ、Ｉ、Ｊの７人である。そして、曲間メッセージ（１）については、Ｄ、Ｅ、Ｆ、Ｇが既に視聴しており、Ｈ、Ｉ、Ｊが未視聴であるため、未視聴者の存在率は４３％であり、未視聴者の存在数は「３」である。また、曲間メッセージ（２）については、Ｄのみが既に視聴しており、Ｅ、Ｆ、Ｇ、Ｈ、Ｉ、Ｊが未視聴であるため、未視聴者の存在率は８６％であり、未視聴者の存在数は「６」である。また、曲間メッセージ（３）については、Ｄ、Ｅが既に視聴しており、Ｆ、Ｇ、Ｈ、Ｉ、Ｊが未視聴であるため、未視聴者の存在率は７１％であり、未視聴者の存在数は「５」である。したがって、曲間メッセージ（１）、曲間メッセージ（２）、曲間メッセージ（３）のすべてが基準を満たすが、未視聴者の存在率が高い曲間メッセージを優先して、第９曲目と第１０曲目との間に、曲間メッセージ（２）を出力する。
【００７３】
＜他の実施形態＞
本発明の曲間メッセージ出力制御機能を備えたカラオケ装置１０及びその周辺装置を構成する機器や手段は上述したものに限定されず、必要な機器や手段のみの構成としたり、適宜他の機器や手段を付加したりすることができる。また、各手段をそれぞれ別個のものとして構成するのではなく、複数の機能を統合した手段として構成してもよい。
【００７４】
さらに、カラオケ装置１０をスタンドアロンで使用するのではなく、ネットワークを介して複数のカラオケ装置１０（カラオケ演奏端末）とホスト装置とを接続して、ネットワークカラオケシステムを構築してもよい。この場合には、ホスト装置に顧客データベースを設置し、この顧客データベースにより、利用者ＩＤ、氏名、セカンドネーム（例えば愛称）、住所、電話番号、生年月日、性別、職業、イメージデータ等の利用者情報を管理することができる。
【図面の簡単な説明】
【００７５】
【図１】本発明の実施形態に係る曲間メッセージ出力制御機能を備えたカラオケ装置の構成を示すブロック図。
【図２】曲間メッセージ管理リスト及び利用者別視聴管理リストの構成を示す説明図。
【図３】曲間メッセージ別視聴管理処理を示すフローチャート。
【図４】第１の実施形態に係る曲間メッセージの出力制御処理を示すフローチャート。
【図５】第１の実施形態に係る曲間メッセージの出力判断を説明する説明図。
【図６】第２の実施形態に係る曲間メッセージの出力制御処理を示すフローチャート。
【図７】第２の実施形態に係る曲間メッセージの出力判断を説明する説明図。
【符号の説明】
【００７６】
１０  カラオケ装置
２０  カラオケ本体
２１  バス
２２  中央制御手段
２３  ＲＯＭ
２４  ＲＡＭ
２４ａ  予約待ち行列
２５  ＨＤＤ
２５ａ  楽曲データベース
２５ｂ  映像データベース
２５ｃ  曲間メッセージ
２５ｄ  曲間メッセージ管理リスト
２５ｅ  利用者別視聴管理リスト
２６  ローカル送受信手段
２７  ログイン利用者管理手段
２８  利用者別視聴管理手段
２９  曲間メッセージ出力制御手段
３０  選曲管理手段
３１  音楽曲出力手段
３２  再生制御手段
３３  曲間メッセージ記憶手段
３４  曲間メッセージ管理手段
４１  遠隔入出力端末
４１ａ  楽曲検索手段
４１ｂ  楽曲索引データベース
４２  利用者ＩＤ取得手段
４３  ＩＤ媒体
４４  ミキシングアンプ
４５  スピーカ
４６  マイクロホン
４７  表示手段
【図１】
0005088884.tif 000002
【図２】
0005088884.tif 000003
【図３】
0005088884.tif 000004
【図４】
0005088884.tif 000005
【図５】
0005088884.tif 000006
【図６】
0005088884.tif 000007
【図７】
0005088884.tif 000008